【手続補正書】
【提出日】平成18年9月25日(2006.9.25)
【手続補正１】
【補正対象書類名】特許請求の範囲
【補正対象項目名】全文
【補正方法】変更
【補正の内容】
【特許請求の範囲】
【請求項１】
バックライトをフラッシングさせて画像を表示させる表示装置において、
前記表示装置の画面は複数の領域に分割されており、
さらに、前記表示装置は、前記複数の領域内の動きを個々に検出する動き検出部と、
前記動き検出部で検出した結果に基づいて前記バックライトのフラッシングの周波数を制御するバックライト周波数制御部を備え、
前記動き検出部が領域内に充分な動きを検出しない場合、充分な動きを検出した場合のフラッシング周波数より高い周波数で、前記領域に対応するバックライトをフラッシングさせることを特徴とする表示装置。
【請求項２】
前記領域は、ブロックに分割された領域であることを特徴とする請求項１に記載の表示装置。
【請求項３】
前記分割された領域は、さらに、サブ領域に分割されていることを特徴とする請求項１〜２の何れかに記載の表示装置。
【請求項４】
前記バックライトは、少なくとも一つ以上の光源から構成され、
前記光源は、個々またはグループ毎に独立して駆動制御されることを特徴とする請求項１〜３の何れかに記載の表示装置。
【請求項５】
前記動き検出部は、前記サブ領域の平均値を、一つ前のフレームの平均値と比較することにより動きを検出することを特徴とする請求項３〜４の何れかに記載の表示装置。
【請求項６】
画面内の動き量に対応して、バックライトのフラッシング周波数を変化させる表示装置において、
前記バックライトのフラッシング周波数を変化させる場合、その周波数の変化の途中に、前記周波数の変化の急激性を少なくする周波数で、前記バックライトをフラッシングさせることを特徴とする表示装置。
【請求項７】
前記バックライトのフラッシング周波数に対応して、動き補償されたフレーム補間を行いながら、表示装置の駆動を行うことを特徴とする請求項１〜６の何れかに記載の表示装置。
【請求項８】
前記光源は、ＬＥＤであることを特徴とする請求項１〜７の何れかに記載の表示装置。
【請求項９】
前記ＬＥＤは、白色ＬＥＤまたは別個のカラーＬＥＤであることを特徴とする請求項８に記載の表示装置。
【請求項１０】
前記表示装置は、前記バックライトの輝度およびまたはカラーバランスを制御するための制御手段を有することを特徴とする請求項１〜９の何れかに記載の表示装置。
【請求項１１】
動きを検出しない場合の前記バックライトのフラッシング周波数は、フリッカリングの知覚を低減させることができる周波数であることを特徴とする請求項１〜１０の何れかに記載の表示装置。
【請求項１２】
前記バックライトのフラッシングの照灯する期間は、前記バックライトのフラッシング周波数の変化に関わらず、実質的に一定であることを特徴とする請求項１〜１１の何れかに記載の表示装置。
【請求項１３】
前記表示装置が高解像度であり、前記バックライトが低解像度の場合、
表示画像が、前記バックライト解像度までサンプリングされることを特徴とする請求項１〜１２の何れかに記載の表示装置。
【請求項１４】
前記バックライトのフラッシングのタイミングは、
前記画面の垂直位置に対応してシフトされることを特徴とする請求項１〜１３の何れかに記載の表示装置。
【請求項１５】
バックライトをフラッシングさせて画像を表示させる表示方法において、
画像信号を受信する工程と、
前記画像信号から画面が分割された個々の領域内の動きを検出する工程と、
前記動きの検出の結果に基づいて、前記バックライトのフラッシング周波数を制御する工程を備え、
充分な動きが検出されない場合、充分な動きを検出した場合のフラッシング周波数より高い周波数で、バックライトをフラッシングさせることを特徴とする表示方法。
【請求項１６】
前記バックライトのフラッシング周波数を変化させる場合、その周波数の変化の途中に、前記周波数の変化の急激性を少なくする周波数で、前記バックライトをフラッシングさせることを特徴とする請求項１５に記載の表示方法。
【請求項１７】
前記バックライトのフラッシング周波数に対応して、動き補償されたフレーム補間を行いながら、表示装置の駆動を行うことを特徴とする請求項１５〜１６の何れかに記載の表示方法。
【手続補正２】
【補正対象書類名】明細書
【補正対象項目名】発明の名称
【補正方法】変更
【補正の内容】
【発明の名称】表示装置及び表示方法
【手続補正３】
【補正対象書類名】明細書
【補正対象項目名】００１０
【補正方法】変更
【補正の内容】
【００１０】
上記課題を解決するために、本発明の第１の技術手段は、バックライトをフラッシングさせて画像を表示させる表示装置において、前記表示装置の画面は複数の領域に分割されており、さらに、前記表示装置は、前記複数の領域内の動きを個々に検出する動き検出部と、前記動き検出部で検出した結果に基づいて前記バックライトのフラッシングの周波数を制御するバックライト周波数制御部を備え、前記動き検出部が領域内に充分な動きを検出しない場合、充分な動きを検出した場合のフラッシング周波数より高い周波数で、前記領域に対応するバックライトをフラッシングさせることを特徴としたものである。
第２の技術手段は、第１の技術手段において、前記領域は、ブロックに分割された領域であることを特徴としたものである。
第３の技術手段は、第１〜第２の何れかの技術手段において、前記分割された領域は、さらに、サブ領域に分割されていることを特徴としたものである。
【手続補正４】
【補正対象書類名】明細書
【補正対象項目名】００１１
【補正方法】変更
【補正の内容】
【００１１】
第４の技術手段は、第１〜第３の何れかの技術手段において、前記バックライトは、少なくとも一つ以上の光源から構成され、前記光源は、個々またはグループ毎に独立して駆動制御されることを特徴としたものである。
第５の技術手段は、第３〜第４の何れかの技術手段において、前記動き検出部は、前記サブ領域の平均値を、一つ前のフレームの平均値と比較することにより動きを検出することを特徴としたものである。
第６の技術手段は、画面内の動き量に対応して、バックライトのフラッシング周波数を変化させる表示装置において、前記バックライトのフラッシング周波数を変化させる場合、その周波数の変化の途中に、前記周波数の変化の急激性を少なくする周波数で、前記バックライトをフラッシングさせることを特徴としたものである。
【手続補正５】
【補正対象書類名】明細書
【補正対象項目名】００１２
【補正方法】変更
【補正の内容】
【００１２】
第７の技術手段は、第１〜第６の何れかの技術手段において、前記バックライトのフラッシング周波数に対応して、動き補償されたフレーム補間を行いながら、表示装置の駆動を行うことを特徴としたものである。
第８の技術手段は、第１〜第７の何れかの技術手段において、前記光源は、ＬＥＤであることを特徴としたものである。
第９の技術手段は、第８の技術手段において、前記ＬＥＤは、白色ＬＥＤまたは別個のカラーＬＥＤであることを特徴としたものである。
【手続補正６】
【補正対象書類名】明細書
【補正対象項目名】００１３
【補正方法】変更
【補正の内容】
【００１３】
第１０の技術手段は、第１〜第９の何れかの技術手段において、前記表示装置は、前記バックライトの輝度およびまたはカラーバランスを制御するための制御手段を有することを特徴としたものである。
第１１の技術手段は、第１〜第１０の何れかの技術手段において、動きを検出しない場合の前記バックライトのフラッシング周波数は、フリッカリングの知覚を低減させることができる周波数であることを特徴としたものである。
【手続補正７】
【補正対象書類名】明細書
【補正対象項目名】００１４
【補正方法】変更
【補正の内容】
【００１４】
第１２の技術手段は、第１〜第１１の何れかの技術手段において、前記バックライトのフラッシングの照灯する期間は、前記バックライトのフラッシング周波数の変化に関わらず、実質的に一定であることを特徴としたものである。
第１３の技術手段は、第１〜第１２の何れかの技術手段において、前記表示装置が高解像度であり、前記バックライトが低解像度の場合、表示画像が、前記バックライト解像度までサンプリングされることを特徴としたものである。
【手続補正８】
【補正対象書類名】明細書
【補正対象項目名】００１５
【補正方法】変更
【補正の内容】
【００１５】
第１４の技術手段は、第１〜第１３の何れかの技術手段において、前記バックライトのフラッシングのタイミングは、前記画面の垂直位置に対応してシフトされることを特徴としたものである。
第１５の技術手段は、バックライトをフラッシングさせて画像を表示させる表示方法において、画像信号を受信する工程と、前記画像信号から画面が分割された個々の領域内の動きを検出する工程と、前記動きの検出の結果に基づいて、前記バックライトのフラッシング周波数を制御する工程を備え、充分な動きが検出されない場合、充分な動きを検出した場合のフラッシング周波数より高い周波数で、バックライトをフラッシングさせることを特徴としたものである。
【手続補正９】
【補正対象書類名】明細書
【補正対象項目名】００１６
【補正方法】変更
【補正の内容】
【００１６】
第１６の技術手段は、第１５の技術手段において、前記バックライトのフラッシング周波数を変化させる場合、その周波数の変化の途中に、前記周波数の変化の急激性を少なくする周波数で、前記バックライトをフラッシングさせることを特徴としたものである。
第１７の技術手段は、第１５〜第１６の何れかの技術手段において、前記バックライトのフラッシング周波数に対応して、動き補償されたフレーム補間を行いながら、表示装置の駆動を行うことを特徴としたものである。
【手続補正１０】
【補正対象書類名】明細書
【補正対象項目名】００３２
【補正方法】変更
【補正の内容】
【００３２】
図６を参照すると、充分な動きを有すると判断された領域に対し、このようなバックライト変調を実行するための適当な技術は、Sc(t)=A(1-t+floor(t))（ここで、tはフレーム内の時間であり、floor(t)は浮動小数点数の整数部分をとる演算子であり、Aはフラッシングのデューティサイクルを決定するスクリーン振幅である）と示されるスクリーン関数と一般に称される関数を含む。Aが大きくなればデューティサイクルが小さくなり、この結果、動きのボケが少なくなる。floor(t)は設定されたレベルでよく、画像のコンテンツに基づくか、または適応的とすることができる。所望するバックライトレベルと第１スクリーン関数とが比較され、所望するバックライトレベルのほうがスクリーン関数よりも大きい場合、バックライトは太い実線で示されるようにオンとなる。このように、所望するバックライトレベルに関連して、動きのボケを選択できる。同様に、その他の適当な技術も使用することができる。
【手続補正１１】
【補正対象書類名】明細書
【補正対象項目名】００３３
【補正方法】変更
【補正の内容】
【００３３】
図７を参照する。動きが不充分であると判断された領域に対するこのようなバックライト変調を実行するために適した技術は、Sd=A(1-2t+floor(2t))（ここで、tはフレーム内の時間であり、Aはスクリーン振幅である）で示される、一般にスクリーン関数と称される関数を含む。所望するバックライトレベルとスクリーン関数とを比較し、所望するバックライトレベルのほうがスクリーン関数より大であれば、バックライトは太い実線で示されるようにオンとなる。図７のバックライトのほうが、図６のバックライトよりも周波数が高く、例えば２倍の周波数となるので、フリッカリングの知覚を低減させることができる。その他の適当な技術も使用できる。図６の照明される領域の面積と図７の照明される領域の面積とは、実質的に同じであるか、１０％、２５％または５０％以内であることが好ましい。
【手続補正１２】
【補正対象書類名】明細書
【補正対象項目名】００３６
【補正方法】変更
【補正の内容】
【００３６】
【数１】
2006251796.tif 000001